(57)【要約】【課題】外面に布を貼り合わせた棺において、棺の角部を車や柱などにぶつけたり擦ったりしても、布表面の繊維がケバ立ったり破れてしまうことを防止できるようにした棺を提供する。【解決手段】  棺１は、開口部２１を備えた箱形の棺本体２と、棺本体２の開口部に嵌着する蓋３とを備え、棺本体２の外面及び蓋３の外面に装飾用シートＳが貼られている。棺１は、棺本体２の角部側２２１，２２３に貼られた装飾用シートＳを少なくとも覆うようにして取り付けられた保護カバー体４，５を有し、蓋３の角部側３２１に貼られた装飾用シートＳを少なくとも覆うようにして取り付けられた保護カバー体６１，６２を有している。【選択図】図１
0003129940.tif 000002
【実用新案登録請求の範囲】
【請求項１】
外面に装飾用シート(S)が貼られている棺であって、
棺の角部側(221,223,321)に貼られた装飾用シート(S)を覆うようにして取り付けられた保護カバー体(4,5,61,62)を有する、
棺。  
【請求項２】
開口部(21)を備えた箱形の棺本体(2)と、該棺本体(2)の開口部(21)に嵌着する蓋(3)とを備え、棺本体(2)の外面及び蓋(3)の外面に装飾用シート(S)が貼られている棺であって、
棺本体(2)の角部側(221,223)に貼られた装飾用シート(S)を少なくとも覆うようにして取り付けられた保護カバー体(4,5)を有し、
蓋(3)の角部側(321)に貼られた装飾用シート(S)を少なくとも覆うようにして取り付けられた保護カバー体(61,62)を有している、
棺。  
【請求項３】
開口部(21)を備えた箱形の棺本体(2)と、該棺本体(2)に嵌着する外枠(6)を有する蓋(3)とを備え、棺本体(2)の外面及び蓋(3)の外面に装飾用シート(S)が貼られている棺であって、
棺本体(2)を構成する周壁(22)の上面(222)に貼られている装飾用シート(S)の表面から上記開口部(21)の枠部を構成するように保護カバー体(4)が取り付けられていると共に、周壁(22)の底部側外周部(223)に貼られている装飾用シート(S)の表面から保護カバー体(5)が取り付けられており、
上記蓋(3)の外枠(6)を構成するように蓋本体(32)に貼られた装飾用シート(S)の表面から保護カバー体(61,62)が取り付けられている、
棺。
【請求項４】
装飾用シート(S)が布または和紙であり、保護カバー体(4,5,61,62)が木製である、
請求項１ないし３のいずれかに記載の棺。
【考案の詳細な説明】
【技術分野】
【０００１】
本考案は、外面に布が貼られた棺に関する。
更に詳しくは、外面に布を貼り合わせた棺において、棺の角部を車や柱などにぶつけたり擦ったりしても、布表面の繊維がケバ立ったり破れてしまうことを防止できるようにしたものに関する。
【背景技術】
【０００２】
従来より、木製の棺に装飾を施して高級感を高めるために、棺の表面に装飾用の布を予め貼り合わせたものが提案されている（特許文献１等）。
【特許文献１】登録実用新案第３０８２６６２号公報
【０００３】
また近年、棺の製造コストを抑えるために、労働賃金が低廉な海外で生産した棺を輸入し、国内で販売することが行われている。更に海外で製造される価格を抑えた棺として、木製合板の間に芯材を入れて貼り合わせたフラッシュ構造の棺があり、この棺の高級感を高めるために、上記したように棺の表面に布を張って装飾を施すことが行われている。
【考案の開示】
【考案が解決しようとする課題】
【０００４】
しかしながら、従来の棺は、単に棺の外面に布を貼り合わせただけの構造であって、蓋の角部及び棺本体の角部の表面の布がむき出しの状態となっていた。このため、棺を葬儀場に運び入れるときや、葬儀場から火葬場へ移送する際に、棺の角部を車や柱などにぶつけたり擦ったりすると、表面の繊維がケバ立ったり、最悪の場合には破れて中の木板が露出してしまうことがあった。
【０００５】
また上記したように、近年では棺を海外で製造したものを国内に輸入して販売することも多い。その際、棺を段ボールケース等に梱包して輸入するものの、梱包作業時に棺の角部を床面や壁等にぶつけたり、また梱包後であっても輸入・搬送時に受ける衝撃や振動で角部の布が段ボールケースに当たって擦れる場合がある。
【０００６】
また更に製造時においては、蓋の角部及び棺本体の上面角部の表面に皺ができないように、例えば角部に位置する布に切目や折目を入れて重ね合わせ、接着やタッカーで外れないように固定する必要がある。しかし、この角部の貼り合わせ作業は煩雑であり、また丁寧に重ねないと製品としての見た目が悪くなる。
【０００７】
（考案の目的）
そこで本考案の目的は、外面に布を貼り合わせた棺において、棺の角部を車や柱などにぶつけたり擦ったりしても、布表面の繊維がケバ立ったり破れてしまうことを防止できるようにした棺を提供することにある。
【０００８】
本考案の他の目的は、棺の製造時において、棺の角部に布を貼り合わせるための作業効率を向上させることができるようにした棺を提供することにある。
【課題を解決するための手段】
【０００９】
上記目的を達成するために本考案が講じた手段は次のとおりである。
【００１０】
本考案は、外面に装飾用シート(S)が貼られている棺であって、棺の角部側(221,223,321)に貼られた装飾用シート(S)を覆うようにして取り付けられた保護カバー体(4,5,61,62)を有する、棺である。
【００１１】
本考案は、開口部(21)を備えた箱形の棺本体(2)と、該棺本体(2)の開口部(21)に嵌着する蓋(3)とを備え、棺本体(2)の外面及び蓋(3)の外面に装飾用シート(S)が貼られている棺であって、棺本体(2)の角部側(221,223)に貼られた装飾用シート(S)を少なくとも覆うようにして取り付けられた保護カバー体(4,5)を有し、蓋(3)の角部側(321)に貼られた装飾用シート(S)を少なくとも覆うようにして取り付けられた保護カバー体(61,62)を有している、棺である。
【００１２】
本考案は、開口部(21)を備えた箱形の棺本体(2)と、該棺本体(2)に嵌着する外枠(6)を有する蓋(3)とを備え、棺本体(2)の外面及び蓋(3)の外面に装飾用シート(S)が貼られている棺であって、棺本体(2)を構成する周壁(22)の上面(222)に貼られている装飾用シート(S)の表面から上記開口部(21)の枠部を構成するように保護カバー体(4)が取り付けられていると共に、周壁(22)の底部側外周部(223)に貼られている装飾用シート(S)の表面から保護カバー体(5)が取り付けられており、上記蓋(3)の外枠(6)を構成するように蓋本体(32)に貼られた装飾用シート(S)の表面から保護カバー体(61,62)が取り付けられている、棺である。
【００１３】
本考案は、装飾用シート(S)が布または和紙であり、保護カバー体(4,5,61,62)が木製である、第１ないし第３のいずれかの考案に係る記載の棺である。
【考案の効果】
【００１４】
本考案は上記構成を備え、次の効果を有する。
（ａ）本考案によれば、棺の角部側に貼られた装飾用シートを覆うようにして保護カバー体が取り付けられているので、棺の角部を車や柱などにぶつけたり擦ったりしても、保護カバー体で装飾用シートが保護され、装飾用シートが擦れたり破れたりすることを防止できる。
【００１５】
（ｂ）棺本体の角部側に貼られた装飾用シートを少なくとも覆うようにして保護カバー体が取り付けられていると共に、蓋の角部側に貼られた装飾用シートを少なくとも覆うようにして保護カバー体が取り付けられているものでは、蓋の開閉時に蓋を棺本体にぶつけたり、棺の搬送時に棺本体の角部を車や柱などにぶつけたり擦ったりしても、当該部分の装飾用シートが擦れたり破れたりすることを防止できる。
【００１６】
（ｃ）更に棺の製造時において、表面に皺ができないように棺の角部の装飾用シートは切目や折目を入れて一部が重ね合わせた状態で貼り合わせるのが通常であるが、この角部分を上から保護カバー体で覆うため、その重ねた状態は外部から隠れて見えない。よって、この角部の装飾用シートの貼り合わせ作業（端部の始末）は丁寧に行わなくても良く、その結果、装飾用シートの貼り合わせのための作業効率を向上させることができる。
【考案を実施するための最良の形態】
【００１７】
装飾用シートの素材として、布、和紙、ビニールレザー、プラスチックシート、合成皮革、あるいはそれらを組み合わせたものや、その他のものを挙げることができる。また布としては、例えば綿布、絹布、麻等の天然繊維を織った布、レーヨン、ポリエチレン等の化学繊維製の布、皮革、糸状の合成樹脂を編んだ布を挙げることができる。なお、通常、棺は火葬するため、有害なガスが発生しにくい素材からなる装飾シートが好ましい。
【００１８】
装飾用シートには、柄や模様を施してあってもよく、それらが施されていなくても良い。また装飾用シートの色や柄、模様の種類も特に限定されない。また、装飾用シートは棺の外面だけでなく、内面に貼られていても良い。
【００１９】
保護カバー体の素材として、例えば木、厚紙、紙（厚紙や段ボール紙等の厚みのある紙が好ましい）、合成樹脂、陶器やそれらを組み合わせたものや、その他の材料で形成することができる。上記したように、通常、棺は火葬するため、装飾用シートと同様に、有害なガスが発生しにくい保護カバー体が好ましい。
【００２０】
以下、本考案を実施例により説明するが、本考案はこれらに限定されるものではない。
【００２１】
本考案を図面に示した実施例に基づき更に詳細に説明する。
【実施例】
【００２２】
図１ないし図４は、本考案に係る棺の一実施例を示す説明図である。
図１は、棺の全体を示す斜視説明図、
図２は、棺の蓋の角部分を示す部分拡大斜視説明図、
図３は、棺本体の上部側角部分を示す部分拡大斜視説明図、
図４(ａ)は蓋の端部を示す部分拡大断面説明図、図４(ｂ)は棺本体の端部を示す部分拡大断面説明図である。
【００２３】
図１ないし図３に示すように、棺１は、開口部２１（図３を参照）を備えた箱形の棺本体２と、棺本体２の開口部２１に嵌着する外枠(6)を有する蓋３とを備えている。図１で符号３１は、遺体の顔を見るときに開く開閉扉を示している。
【００２４】
図１に示すように、棺本体２の外面及び蓋３の外面には、装飾用シートＳが貼られている。本実施例では、装飾用シートＳの柄は花模様であるが、特にこれに限定されない。装飾用シートＳは装飾用の布で構成され、接着剤を使用して表面に貼り合わされている。
【００２５】
そして、棺１の各角部分２２１，２２３，３２１に貼られている装飾用シートＳを覆うようにして、保護カバー体４，５，６が取り付けられている。
【００２６】
以下、保護カバー体４，５，６の取付構造について、棺本体２、蓋３の順で詳しく説明する。
【００２７】
（棺本体２）
図３及び図４(ｂ)に示すように、棺本体２の周壁２２の外面側には、接着剤によって装飾用シートＳが貼られている。棺本体２を構成する周壁２２及び底体（図面では表れない）は、木製素材を使用したいわゆるフラッシュ構造（桟状の芯の両面に合板を張って作られる板体構造）の板部材で構成されている。
【００２８】
装飾用シートＳは、その端縁部側（図４(ｂ)で上端側）が周壁２２の外面から内面側に折り返されている。更に図３に示す周壁２２の上部側角部分２２１の位置で内側に折り返された装飾用シートＳは、図示はしていないが、一部に切目や折目を入れて左右から重ね合わせてあり、外面側の装飾用シートＳに皺ができないようにしてある。
【００２９】
そして、図４(ｂ)に示す周壁２２の上面２２２に貼られている装飾用シートＳの上から、開口部２１の枠部を構成するように保護カバー体４が取り付けられている。保護カバー体４は断面方形で木製の棒状体であり、図３に示すように、周壁２２の厚みと同じか大体同じ幅方向の厚みを有している。
【００３０】
本実施例では、四本の保護カバー体４を縦横それぞれに一本ずつ配置して組み合わせることで、平面視長方形の枠部を構成してある。図３に示すように保護カバー体４の両端部４１，４１は斜めに切断され、隣り合う保護カバー体４と直角に隙間が生じないように組み合わせてある。
【００３１】
また図４(ｂ)に示すように、棺本体２の内面側全体には、装飾のためのシート状体であるレース７１が取り付けられ、タッカー８等の固定手段で内面に固定されている。
【００３２】
このようにして、棺本体２の上部側角部分２２１（図３参照）を含む開口部２１周辺を保護カバー体４で覆うことで、開閉時に棺本体２上部に蓋３をぶつけたとしても、上面の装飾用シートＳが擦れたり破れたりすることを防止できる。
【００３３】
更に図１に示すように、棺本体２の底部側角部分２２３を含む周壁２２の底部側外周部に貼られている装飾用シートＳの上からも保護カバー体５が取り付けられている。保護カバー体５は木製で薄板状の棒状体であり、その断面はやや細長い長方形である。そして、開口部２１側と同様に、両端部（符号省略）を斜めに切断した保護カバー体５を縦横一本ずつ配置して、合計四本組み合わせることで、棺本体２の底部側を周方向に囲むようにして保護カバー体５が取り付けてある。保護カバー体５の接合部分（底部側角部分の部分）には、平面視Ｌ形状の装飾金具５１が取り付けてある。
【００３４】
このように、棺本体２の底部側を保護カバー体５で覆うことで、上方の開口部２１側と同様に、搬送時に棺１の底面側の角部分を車や柱などにぶつけたり擦ったりしても、装飾用シートＳが擦れたり破れたりすることを防止できる。
【００３５】
（蓋３）
図２及び図４(ａ)に示すように、蓋３は、平板状の蓋本体３２を備えている。蓋本体３２は、木製素材を使用したいわゆるフラッシュ構造（桟状の芯の両面に合板を張って作られる板体構造）の板部材で構成されている。
【００３６】
蓋本体３２の外面側（上面及び側面）には、接着剤によって装飾用シートＳが貼られている。装飾用シートＳは、図４(ａ)に示すように、蓋本体３２の上面から端部を側面に曲げて貼られている。側面の装飾用シートＳはタッカー等で固定することもできる。更に図２に示す蓋本体３２の角部分３２１で内側に折り曲げられた装飾用シートＳは、図示はしていないが、一部に切目や折目を入れて左右から重ね合わせてあり、周壁２２に貼られた装飾用シートＳに皺ができないようにしてある。
【００３７】
更に図４(ａ)に示すように、蓋３の外枠６を構成するように、蓋本体３２の外側面に貼られた装飾用シートＳの上（側面側）から保護カバー体６１，６２が取り付けられている。保護カバー体６１，６２は木製の棒状体であり、接着によって取り付けてある。本実施例では、保護カバー体６１，６２は、内側の第一保護カバー体６１と、外側の第二保護カバー体６２の二種類で構成されている。
【００３８】
詳しくは、蓋本体３２の外側面に、四本の第一保護カバー体６１を縦横それぞれに一本ずつ配置して組み合わせて外枠６の一部（内側）を構成し、更に第一保護カバー体６１の外側に四本の第二保護カバー体６２を縦横それぞれに一本ずつ配置して組み合わせて外枠６の残りの一部（外側）を構成している。
【００３９】
第一保護カバー体６１及び第二保護カバー体６２の各両端部６１２，６２１は斜めに切断され、隣り合う各保護カバー体６１，６２と直角に隙間が生じないように組み合わせてある。第一保護カバー体６１の上部側は丸みを有し、長手方向に沿って段部６１１を備えている。第二保護カバー体６２は断面長方形で薄板状の棒状体である。
【００４０】
更に図２に示すように、第二保護カバー体６２の接合部分（蓋３の角部分）には、平面視Ｌ形状の装飾金具６３（図４(ａ)も参照）が取り付けてある。また図４(ａ)に示すように、蓋本体３２の底面には、布やシート等で構成された装飾用のシート７２が貼ってある。
【００４１】
このように、蓋３の外枠６を構成するように蓋本体３２に貼られた装飾用シートＳの上から保護カバー体６１，６２が取り付けられているので、開閉時に蓋３の端部を棺本体２上部にぶつけたり、棺１の搬送時に車や柱などにぶつけたり擦ったりしても、当該部分の装飾用シートＳが擦れたり破れたりすることを防止できる。
【００４２】
更に上記したように、棺１の製造時において、棺本体２や蓋３の角部分２２１,２２３,３２１の装飾用シートＳは切目や折目を入れて一部が重ね合わせた状態で貼り合わせてあるが、この部分を上から各保護カバー体４，５，６１，６２で覆うため、その重ねた状態は外部から隠れて見えない。よって、この角部分２２１，２２３，３２１の装飾用シートＳの貼り合わせ作業（端部の始末）はそれ程丁寧に行わなくても良く、その結果、装飾用シートＳの貼り合わせのための作業効率も向上する。
【００４３】
なお、本明細書で使用している用語と表現はあくまで説明上のものであって、限定的なものではなく、上記用語、表現と等価の用語、表現を除外するものではない。また、本考案は図示の実施例に限定されるものではなく、技術思想の範囲内において種々の変形が可能である。
【００４４】
更に、実用新案登録請求の範囲には、請求項記載の内容の理解を助けるため、図面において使用した符号を括弧を用いて記載しているが、実用新案登録請求を図面記載のものに限定するものではない。
【図面の簡単な説明】
【００４５】
【図１】棺の一実施例を示す斜視説明図。
【図２】棺の蓋の角部分を示す部分拡大斜視説明図。
【図３】棺本体の上部側角部分を示す部分拡大斜視説明図。
【図４】図４(ａ)は蓋の端部を示す部分拡大断面説明図、図４(ｂ)は棺本体の端部を示す部分拡大断面説明図。
【符号の説明】
【００４６】
Ｓ 装飾用シート
１ 棺
２ 棺本体
３ 蓋
４，５，６１，６２ 保護カバー体
５ 保護カバー体
６ 外枠
８ タッカー
２１ 開口部
２２ 周壁
３１ 開閉扉
３２ 蓋本体
４１ 両端部
５１ 装飾金具
６１ 第一保護カバー体
６２ 第二保護カバー体
６３ 装飾金具
７１ レース
７２ シート
２２１ 上部側角部
２２２ 上面
２２３ 底部側角部
３２１ 角部
６１１ 段部
６１２，６２１ 両端部
【図１】
0003129940.tif 000003
【図２】
0003129940.tif 000004
【図３】
0003129940.tif 000005
【図４】
0003129940.tif 000006